(57)【要約】【課題】直接メタノール型燃料電池への使用において高い出力特性を維持しつつ、誤飲したり、故意に飲んだりしても速やかに吐出させることが可能な燃料電池用燃料を提供する。【解決手段】メタノールと水との混合液に特定の有機化合物を苦味催吐剤として溶解したことを特徴とする燃料電池用燃料。【選択図】    なし【特許請求の範囲】
【請求項１】
メタノールと水との混合液に下記化１に示す一般式（Ｉ）で表される有機化合物を苦味催吐剤として溶解したことを特徴とする燃料電池用燃料。
【化１】
2006261034.tif 000009
ただし、式中のＲ1はヘテロ元素、Ｒ2〜Ｒ5は少なくとも１つが親水性官能基で、残りが水素を示す。
【請求項２】
前記一般式（Ｉ）のＲ3またはＲ4は、親水性官能基であることを特徴とする請求項１記載の燃料電池用燃料。
【請求項３】
前記混合液は、メタノールの濃度が０．１〜９９．５重量％であることを特徴とする請求項１記載の燃料電池用燃料
【請求項４】
前記有機化合物は、前記混合液に０．０１〜１０重量％の量で溶解することを特徴とする請求項１記載の燃料電池用燃料。
【発明の詳細な説明】
【技術分野】
【０００１】
本発明は、燃料電池用燃料に関する。
【背景技術】
【０００２】
直接メタノール型燃料電池（ＤＭＦＣ）は、メタノールと水の混合液が燃料として供給される燃料極、酸化性ガスが供給される空気極およびこれらの極間に介在される高分子電解質膜を含む膜状電極ユニットと、この膜状電極ユニットの両面に配置される燃料用流路板および酸化性ガス用流路板とを含む単セルを備えた構造を有する。
このような燃料電池に用いられる燃料は、メタノールを含むためにエチルアルコールの水溶液として誤飲したり、故意に飲んだりすると、視力を失うか、さらに過剰に飲むとメチルアルコール中毒になる虞れがある。
【０００３】
特許文献１には、幼児による玩具等の誤飲を防止するために新規化合物である４（２−カルボキシ−２−ヒドロキシ−エチルチオ）−２−ピペリジンカルボン酸を苦味催吐剤として玩具表面に塗布することが記載されている。
【０００４】
特許文献２には、プリペードカードのような記録媒体の表面に苦味催吐剤、例えば第１工業製薬社製商標名；モノペットＳＯＡ、白石カルシウム社製商標名；ＢＩＴＲＥＸを塗布することが記載されている。
【特許文献１】特開２００１−５８９８０
【特許文献２】特開平１１−２０３４９号公報
【発明の開示】
【発明が解決しようとする課題】
【０００５】
本発明は、直接メタノール型燃料電池への使用においてその高い出力特性を維持しつつ、誤飲したり、故意に飲んだりしても速やかに吐出させることが可能な燃料電池用燃料を提供することを目的とする。
【課題を解決するための手段】
【０００６】
本発明によると、メタノールと水との混合液に下記化２に示す一般式（Ｉ）で表される有機化合物を苦味催吐剤として溶解したことを特徴とする燃料電池用燃料が提供される。
【化２】
2006261034.tif 000002
【０００７】
ただし、式中のＲ1はヘテロ元素、Ｒ2〜Ｒ5は少なくとも１つが親水性官能基で、残りが水素を示す。
【発明の効果】
【０００８】
本発明によれば、直接メタノール型燃料電池への使用においてその高い出力特性を維持しつつ、誤飲したり、故意に飲んだりしても激しい苦味、催吐作用により胃に達する前に速やかに吐出でき、メタノールの飲料に伴う事故を防ぐことが可能な燃料電池用燃料を提供できる。
【発明を実施するための最良の形態】
【０００９】
以下、本発明に係る燃料電池用燃料を詳細に説明する。
【００１０】
この実施形態に係る燃料電池用燃料は、メタノールと水との混合液に下記化３に示す一般式（Ｉ）で表される有機化合物を苦味催吐剤として溶解した組成を有する。
【化３】
2006261034.tif 000003
【００１１】
ただし、式中のＲ1はヘテロ元素、Ｒ2〜Ｒ5は少なくとも１つが親水性官能基で、残りが水素を示す。
【００１２】
前記混合液は、メタノール濃度が０．１〜９９．９重量％、より好ましくは０．５〜９０重量％、最も好ましくは３〜７０重量％であることが望ましい。
前記一般式（Ｉ）のＲ1であるヘテロ元素としては、例えば酸素、イオウ等を挙げることができる。
【００１３】
前記一般式（Ｉ）のＲ2〜Ｒ5の少なくとも１つに導入される親水性官能基は、前記混合液に対する一般式（Ｉ）の有機化合物の溶解性を高めるとともに、苦味を増大させる作用を有する。この親水性官能基としては、例えばメチルアルコール、エチルアルコールのような脂肪族アルコール、酢酸メチル、酢酸エチルのような脂肪族エステル、メチレンアミン、エチレンアミンのような脂肪族アミノまたはアルデヒド等を挙げることができる。
【００１４】
特に、前記親水性官能基は前記一般式（Ｉ）のＲ2〜Ｒ5のうちのＲ3（またはＲ4）に導入されることが好ましい。
【００１５】
前記一般式（Ｉ）で表される有機化合物は、単独のみならず２種以上の混合物の形態で前記メタノールと水の混合液に苦味催吐剤として溶解して燃料を調製することを許容する。この一般式（Ｉ）の有機化合物は、前記混合液に０．０１〜１０重量％の量で溶解することが好ましい。この有機化合物の溶解量を０．０１重量％未満にすると、この有機化合物が溶解された燃料に十分な苦味催吐作用を付与することが困難になる虞がある。一方、有機化合物の溶解量が１０重量％を超えると、この有機化合物が溶解された燃料のｐＨが下がって、燃料電池の燃料極に組み込まれる触媒の金属が溶解する虞がある。その結果、燃料極の性能低下により燃料電池の出力特性が低下する虞がある。より好ましい有機化合物のメタノールと水との混合液への溶解量は、０．２〜３重量％である。
【００１６】
以上説明した実施形態に係る燃料電池用燃料は、水とメタノールの混合液に前記一般式（Ｉ）で表される有機化合物を苦味催吐剤として溶解した組成を有するため、誤飲したり、故意に飲んだりしても前記有機化合物による激しい苦味、催吐作用により胃に達する前に速やかに吐出できる。また、燃料を燃料電池の燃料極に供給した場合、その触媒表面への被毒を回避して、苦味催吐剤無添加の燃料と同等の出力特性を維持することが可能である。
【００１７】
したがって、直接メタノール型燃料電池への使用において発電時に高い出力特性を維持しつつ、誤飲したり、故意に飲んだりしても激しい苦味、催吐作用により胃に達する前に速やかに吐出でき、メタノールの飲料に伴う事故を防止することが可能な安全対策が講じられた燃料電池用燃料を提供できる。
【００１８】
［実施例］
以下，本発明の合成例、実施例を詳細に説明する。
【００１９】
（合成例１）
２００ｍＬ丸底フラスコ反応容器にリービッヒ冷却管、攪拌磁子、マグネチックスターラを装着し、３−ブロモテトラヒドロフラン０．８ｇ（分子量１５１、５．３×１０-3モル）を入れた。溶媒としてジクロロエタン３０ｍＬを反応容器内に添加した。反応触媒としてニッケル粉末０．１ｇを入れた。反応溶液を攪拌回転数２００ｒｐｍにて室温下で攪拌しながら、１−ナトリウムメチレン−アルコール（ＮａＣＨ2ＯＨ）０．２９ｇ（分子量５４、５．３×１０-3モル）のジクロロエタン溶液１０ｍＬを０．５ｍＬ／分の滴下速度にて反応溶液中に滴下した。反応時間が４時間になったところで遠心分離用遠沈管に反応溶液を移し、回転数１５００ｒｐｍにて１０分間遠心分離処理を行い、上澄み液を取り出し、ロータリーエバポレータを用いて減圧留去することにより黄色で粘度が高い液状化合物（苦味催吐剤）を得た。
【００２０】
得られた液状化合物は、下記化４に示す構造式（Ａ）を有するものであった。なお、この構造式（Ａ）は、下記の赤外線分析により得られた赤外線スペクトルデータおよびＮＭＲ分析により得られた1Ｈ  ＮＭＲスペクトルデータから同定された。
【化４】
2006261034.tif 000004
【００２１】
＜赤外線スペクトルデータ（単位ｃｍ-1）＞
・３２００〜３０００（ＯＨ）、
・２９２０（ＣＨ）、
・１７８０，１４５０（環状Ｃ−Ｃ）、
・１１２０（Ｃ−Ｏ−Ｃ）。
【００２２】
＜1Ｈ  ＮＭＲスペクトルデータ（ｐｐｍ）＞
・２．２〜２．６（ｔ，ＣＨ2）、
・３．２〜３．４（ｓ，ＣＨ2−Ｏ）、
・３．５〜３．８（ＣＨ2−ＯＨ）、
・４．５〜４．８（ｓ，ＯＨ）。
【００２３】
（合成例２）
合成例１の１−ナトリウムメチレン−アルコールに代えて１−ナトリウム酢酸メチルエステル（ＮａＣＨ2ＣＯＯＣＨ3）０．５０ｇ（分子量９６、５．３×１０-3モル）を用いた以外、合成例１と同様な方法により黄色で粘度が高い液状化合物（苦味催吐剤）を得た。
【００２４】
得られた液状化合物は、下記化５に示す構造式（Ｂ）を有するものであった。なお、この構造式（Ｂ）は、下記の赤外線分析により得られた赤外線スペクトルデータおよびＮＭＲ分析により得られた1Ｈ  ＮＭＲスペクトルデータから同定された。
【化５】
2006261034.tif 000005
【００２５】
＜赤外線スペクトルデータ（単位ｃｍ-1）＞
・１７６２（エステル）、
・２９２０（ＣＨ）、
・１７８０，１４５０（環状Ｃ−Ｃ），
・１１２０（Ｃ−Ｏ−Ｃ）。
【００２６】
＜1Ｈ  ＮＭＲスペクトルデータ（ｐｐｍ）＞
・２．２〜２．６（ｔ，ＣＨ2）、
・３．２〜３．４（ｓ，ＣＨ2−Ｏ）、
・３．５〜３．８（エステルＣＨ2）、
・４．５〜４．８（ｓ，エステルＣＨ3）。
【００２７】
（合成例３）
合成例１の１−ナトリウムメチレン−アルコールに代えて１−ナトリウムメチレンアミン（ＮａＣＨ2ＮＨ2）０．２９ｇ（分子量５５、５．３×１０-3モル)を用いた以外、合成例１と同様な方法により黄色で粘度が高い液状化合物（苦味催吐剤）を得た。
【００２８】
得られた液状化合物は、下記化６に示す構造式（Ｃ）を有するものであった。なお、この構造式（Ｃ）は、下記の赤外線分析により得られた赤外線スペクトルデータおよびＮＭＲ分析により得られた1Ｈ  ＮＭＲスペクトルデータから同定された。
【化６】
2006261034.tif 000006
【００２９】
＜赤外線スペクトルデータ（単位ｃｍ-1）＞
・３２００〜３０００（ＮＨ2）、
・２９２０（ＣＨ）、
・１７８０，１４５０（環状Ｃ−Ｃ），
・１１２０（Ｃ−Ｏ−Ｃ）。
【００３０】
＜1Ｈ  ＮＭＲスペクトルデータ（ｐｐｍ）＞
・２．２〜２．６（ｔ，ＣＨ2）、
・３．２〜３．４（ｓ，ＣＨ2−Ｏ）、
・３．５〜３．８（ＣＨ2−ＮＨ2）、
・４．５〜４．８（ｓ，ＮＨ2）。
【００３１】
（合成例４）
合成例１で得られた前記構造式（Ａ）の有機化合物０．２ｇをジクロロエタン３０ｍＬに溶解させ、反応触媒である過マンガン酸カリウム０．０５ｇを添加し、室温下で２時間攪拌した。エーテル２０ｍＬ中に得られた反応溶液を加えて沈殿を生成させ、遠心分離用遠沈管に採取した。回転数１５００ｒｐｍで１０分間遠心分離操作を行い、上澄みと沈殿をデカンテーションし、沈殿物（苦味催吐剤）として採取した。
【００３２】
得られた沈殿物は、下記化７に示す構造式（Ｄ）を有するものであった。なお、この構造式（Ｄ）は、下記の赤外線分析により得られた赤外線スペクトルデータおよびＮＭＲ分析により得られた1Ｈ  ＮＭＲスペクトルデータから同定された。
【化７】
2006261034.tif 000007
【００３３】
＜赤外線スペクトルデータ（単位ｃｍ-1）＞
・１６５０（アルデヒド）、
・２９２０（ＣＨ）、
・１７８０，１４５０（環状Ｃ−Ｃ），
・１１２０（Ｃ−Ｏ−Ｃ）。
【００３４】
＜1Ｈ  ＮＭＲスペクトルデータ（ｐｐｍ）＞
・２．２〜２．６（ｔ，ＣＨ2）、
・３．２〜３．４（ｓ，ＣＨ2−Ｏ）、
・３．５〜３．８（ＣＨＯ）。
【００３５】
（実施例１〜４および比較例１）
＜苦味催吐剤の評価＞
１００ｍＬビーカ４個に合成例１〜４で得られた構造式（Ａ）〜（Ｄ）の苦味催吐剤をそれぞれ採取し、０．５％水溶液を調製した。比較例１の苦味催吐剤としてテトラヒドロフラン（アルドリッチ製）０．５％水溶液を準備した。モニタ３人にそれぞれ苦味催吐剤溶液０．０６ｍＬを口の中の舌上に落としたときをスタート０秒とし、モニタが嚥下反射を引き起こすまでの時間Ｔ１を測定した。比較例１の苦味催吐剤で測定した時間Ｔ２を指数１００としたとき、合成例１〜４の苦味催吐剤を相対指数として催吐性の評価を行った。その結果を下記表１に示す。なお、催吐指数が低いほど、催吐性能が大きい。
【表１】
2006261034.tif 000008
【００３６】
前記表１から明らかなように実施例１〜４のように構造式（Ａ）〜（Ｄ）の有機化合物（苦味催吐剤）は、人に対して十分かつ高い催吐作用を示すことがわかる。
【００３７】
（実施例５〜８）
３％濃度のメタノール水溶液に前記合成例１〜４で合成した構造式（Ａ）〜（Ｄ）の有機化合物をそれぞれ苦味催吐剤として０．５重量％溶解させて４種の燃料電池用燃料を調製した。
【００３８】
＜単セルの組み立て＞
パーフルオロアルキルスルホン膜（デュポン社製商標名；ナフィオン１１２膜）の一方の面に白金−ルテニウム触媒層および炭素粉末−カーボンペーパを含む拡散層をこの順序で熱圧着してアノード（燃料極）を形成し、さらに前記パーフルオロアルキルスルホン膜の他方の面に白金触媒層および炭素粉末−カーボンペーパを含む拡散層をこの順序で熱圧着してカソード（空気極）を形成して電極面積５ｃｍ2の膜状電極ユニットを作製した。つづいて、この膜状電極ユニットの両面にコラムフロー流路を有するカーボン製セパレータおよび集電体をこの順序でそれぞれ積層し、ボルト締めすることにより評価用単セルを組み立てた。
【００３９】
＜単セル評価＞
前記単セルを燃料電池評価装置に組み込んだ。実施例５〜８の燃料および苦味催吐剤無添加の３％濃度のメタノール水溶液からなる燃料（比較例２）を温度７０℃にて単セルのアノード側に５ｍＬ／分の流速でそれぞれ送液し、空気を単セルのカソード側に８ｍＬ／分の流速で供給し、各単セルでの電流−電圧特性を観察した。その結果を図１に示す。
図１から明らかなように燃料電池の発電にあたり前記構造式（Ａ）〜（Ｄ）に示す有機化合物をメタノール水溶液に苦味催吐剤として溶解した燃料を用いた実施例５〜８では、苦味催吐剤無添加の３％濃度のメタノール水溶液からなる燃料を用いた比較例２と同等の高い電流−電圧特性を示すことがわかる。
【図面の簡単な説明】
【００４０】
【図１】実施例５〜８および比較例２の燃料を単セルのアノード（燃料極）に、空気をカソード（空気極）に供給して発電させたときの電流−電圧特性を示す図。
【図１】
2006261034.tif 000010